(57)【要約】【課題】オプションであるＡＤＦに保存されたパラメータ情報の読み込みのために、装置の立ち上がり時間が遅れることを回避できる画像形成装置を提供する。【解決手段】画像形成装置１にオプションとして付設されるＡＤＦ２０内に、該ＡＤＦ２０を使用する際に必要となるパラメータ情報（ＡＤＦＩＤ情報２７）を保持する。このＡＤＦＩＤ情報２７には、ＡＤＦＩＤ情報２７の内容を識別するためのＩＤ情報（ＡＤＦＩＤ情報２７のチェックサムデータ）が含まれる。本体側のスキャナエンジン３０では、予めＡＤＦＩＤ情報２７と、このＡＤＦＩＤ情報２７から求めたＩＤ情報（チェックサムデータ）とを保持しており、電源投入時には、ＡＤＦ２０からＩＤ情報だけを受信し、自身が保持するＩＤ情報と比較する。そして、ＩＤ情報が一致しない場合にのみ、ＡＤＦ３０からＡＤＦＩＤ情報２７のすべてのデータを受信する。【選択図】図１
2008245176.tif 000002
【特許請求の範囲】
【請求項１】
画像形成装置にオプション機器として付設され、原稿読取位置に向けて原稿を給紙すると共に、カラーＣＣＤセンサにより前記原稿を読み取る自動原稿送り装置であって、
前記自動原稿送り装置を使用する際に必要となるパラメータ情報を保持すると共に、前記パラメータ情報の内容の差異を全体として識別するためのパラメータＩＤ情報を生成して保持するパラメータ情報記憶手段と、
前記画像形成装置側からの要求に応じて、前記自動原稿送り装置に保持されたパラメータ情報を前記画像形成装置に送信するパラメータ情報送信手段と、
前記画像形成装置側からの要求に応じて、前記パラメータＩＤ情報を前記画像形成装置に送信するパラメータＩＤ情報送信手段と、
を備えることを特徴とする自動原稿送り装置。
【請求項２】
前記パラメータＩＤ情報は、前記パラメータ情報のチェックサムデータであることを特徴とする請求項１に記載の自動原稿送り装置。
【請求項３】
前記パラメータ情報には、自動原稿送り装置に搭載された原稿読み取りのためのデバイスに固有な画像調整データ、および前記デバイスの制御タイミンング情報が含まれることを特徴とする請求項１または請求項２に記載の自動原稿送り装置。
【請求項４】
前記パラメータ情報には、さらに自動原稿送り装置に通紙された原稿の枚数の情報、および光源の照光時間の情報が含まれること
を特徴とする請求項３に記載の自動原稿送り装置。
【請求項５】
原稿読取位置に向けて原稿を給紙すると共に、カラーＣＣＤセンサにより前記原稿を読み取る自動原稿送り装置が付設された画像読取装置であって、
前記自動原稿送り装置は、
前記自動原稿送り装置を使用する際に必要となるパラメータ情報を保持すると共に、前記パラメータ情報の内容の差異を全体として識別するためのパラメータＩＤ情報を生成して保持するパラメータ情報記憶手段と、
前記画像読取装置側からの要求に応じて、前記自動原稿送り装置に保持されたパラメータ情報を前記画像読取装置に送信するパラメータ情報送信手段と、
前記画像読取装置側からの要求に応じて、前記パラメータＩＤ情報を前記画像読取装置に送信するパラメータＩＤ情報送信手段と、
を備え、
前記画像読取装置は、
前記自動原稿送り装置から前記パラメータ情報を受信して保持すると共に、受信したパラメータ情報を基に前記パラメータＩＤ情報を生成して保持する記憶手段と、
電源投入時に、前記自動原稿送り装置から前記パラメータＩＤ情報を受信するパラメータＩＤ情報取得手段と、
前記パラメータＩＤ情報取得手段により自動原稿送り装置から受信したパラメータＩＤ情報と、自身が保持するパラメータＩＤ情報とが一致するかどうかを判定するパラメータＩＤ情報判定手段と、
前記パラメータＩＤ情報判定手段により、前記自動原稿送り装置から受信したパラメータＩＤ情報と、自身が保持するパラメータＩＤ情報とが一致しないと判定された場合に、前記自動原稿送り装置から前記パラメータ情報を受信するパラメータ情報取得手段と、
を備えることを特徴とする画像読取装置。
【請求項６】
前記パラメータＩＤ情報は、前記パラメータ情報のチェックサムデータであることを特徴とする請求項５に記載の画像読取装置。
【請求項７】
前記パラメータ情報には、自動原稿送り装置に搭載された原稿読み取りのためのデバイスに固有な画像調整データ、および前記デバイスの制御タイミンング情報が含まれることを特徴とする請求項５または請求項６に記載の画像読取装置。
【請求項８】
前記パラメータ情報には、さらに自動原稿送り装置に通紙された原稿の枚数の情報、および光源の照光時間の情報が含まれることを特徴とする請求項７に記載の画像読取装置。
【請求項９】
前記自動原稿送り装置は、
前記原稿の通紙が終了した場合に、自身が保持するパラメータ情報およびパラメータＩＤ情報を更新すると共に、前記画像読取装置に対して通紙終了のステータス情報を送信する手段を、
備え、
前記画像読取装置は、
前記自動原稿送り装置から通紙終了のステータス情報を受信した場合に、前記自動原稿送り装置に対して前記パラメータ情報の送信要求コマンドを送信すると共に、前記自動原稿送り装置から受信しパラメータ情報を基に、自身が保持するパラメータ情報およびパラメータＩＤ情報を更新する手段を、
を備えることを特徴とする請求項８に記載の画像読取装置。
【請求項１０】
請求項５〜９のいずれか一項に記載の画像読取装置を備えると共に、前記画像読取装置から受信した原稿の画像データの画像処理を行い、プリント用紙に印刷する処理を行うことを特徴とする画像形成装置。
【請求項１１】
本体にオプション機器として付設されると共にカラーＣＣＤセンサにより原稿を読み取り画像データを本体側に送信する自動原稿送り装置と、前記自動原稿送り装置と本体側とのインタフェースとなるスキャナエンジンと、前記自動原稿送り装置から送信された画像データを前記スキャナエンジンを介して受信してプリント処理を行う本体側コントローラとで構成される画像形成システムであって、
前記自動原稿送り装置は、
前記自動原稿送り装置を使用する際に必要となるパラメータ情報を保持すると共に、前記パラメータ情報の内容の差異を全体として識別するためのパラメータＩＤ情報を生成して保持するパラメータ情報記憶手段と、
前記スキャナエンジン側からの要求に応じて、前記自動原稿送り装置に保持されたパラメータ情報を前記スキャナエンジンに送信するパラメータ情報送信手段と、
前記スキャナエンジン側からの要求に応じて、前記パラメータＩＤ情報を前記スキャナエンジンに送信するパラメータＩＤ情報送信手段と、
を備え、
前記スキャナエンジンは、
前記自動原稿送り装置から前記パラメータ情報を受信して保持すると共に、受信したパラメータ情報を基に前記パラメータＩＤ情報を生成して保持する記憶手段と、
電源投入時に、前記自動原稿送り装置から前記パラメータＩＤ情報を受信するパラメータＩＤ情報取得手段と、
前記パラメータＩＤ情報取得手段により自動原稿送り装置から受信したパラメータＩＤ情報と、自身が保持するパラメータＩＤ情報とが一致するかどうかを判定するパラメータＩＤ情報判定手段と、
前記パラメータＩＤ情報判定手段により、前記自動原稿送り装置から受信したパラメータＩＤ情報と、自身が保持するパラメータＩＤ情報とが一致しないと判定された場合に、前記自動原稿送り装置から前記パラメータ情報を受信するパラメータ情報取得手段と、
前記自動原稿送り装置から前記カラーＣＣＤセンサにより読み込まれた原稿の画像データを受信すると共に、該画像データを前記パラメータ情報中の画像調整データを基に補正し、補正した画像データを前記本体側コントローラに送信する画像データ補正手段と、
を備え、
前記本体側コントローラは、
前記スキャナエンジンから受信した画像データを基に、プリント用の画像データを生成する画像処理手段と、
前記画像処理手段により生成されたプリント用画像データをプリント用紙にプリントする印刷制御手段と、
を備えることを特徴とする画像形成システム。
【請求項１２】
前記パラメータＩＤ情報は、前記パラメータ情報のチェックサムデータであることを特徴とする請求項１１に記載の画像形成システム。
【請求項１３】
前記パラメータ情報には、自動原稿送り装置に搭載された原稿読み取りのためのデバイスに固有な画像調整データ、および前記デバイスの制御タイミンング情報が含まれることを特徴とする請求項１１または請求項１２に記載の画像形成システム。
【請求項１４】
前記パラメータ情報には、さらに自動原稿送り装置に通紙された原稿の枚数の情報、および光源の照光時間の情報が含まれることを特徴とする請求項１３に記載の画像形成システム。
【請求項１５】
前記自動原稿送り装置は、
前記原稿の通紙が終了した場合に、自身が保持するパラメータ情報およびパラメータＩＤ情報を更新すると共に、前記スキャナエンジンに対して通紙終了のステータス情報を送信する手段を、
備え、
前記スキャナエンジンは、
前記自動原稿送り装置から通紙終了のステータス情報を受信した場合に、前記自動原稿送り装置に対して前記パラメータ情報の送信要求コマンドを送信すると共に、前記自動原稿送り装置から受信したパラメータ情報を基に、自身が保持するパラメータ情報およびパラメータＩＤ情を更新する手段を、
を備えることを特徴とする請求項１４に記載の画像形成システム。
【請求項１６】
前記スキャナエンジンは、
前記本体側コントローラからの指示により、前記自動原稿送り装置に対して前記パラメータ情報の初期化指示を含むパラメータ更新指示のコマンドを送信する手段と、
前記自動原稿送り装置から更新されたパラメータ情報を受信し、受信したパラメータ情報により自身が保持するパラメータ情報およびパラメータＩＤ情報を更新する手段と、
を備え、
前記自動原稿送り装置は、
前記スキャナエンジンから前記パラメータ情報の更新指示のコマンドを受信した場合に、更新指示の内容に従い、自身が保持するパラメータ情報およびパラメータＩＤ情報を更新すると共に、更新したパラメータ情報を前記スキャナエンジンに送信する手段を、
備えることを特徴とする請求項１５に記載の画像形成システム。
【発明の詳細な説明】
【技術分野】
【０００１】
本発明は、自動原稿送り装置、画像読取装置、画像形成装置、および画像形成システム
に関する。
【背景技術】
【０００２】
スキャナとしての機能を有する画像読取装置は、画像形成装置の入力装置と使用される他、イメージスキャナとしても使用されている。
【０００３】
また、スキャナのスキャン形態として、１枚の原稿を原稿台に載置してスキャンする方法の他に、複数枚の原稿を自動原稿送り装置（ＡＤＦ： Automatic Document Feeder）に載置して１枚ずつ給送しながらスキャンを行う方法がある。この自動原稿送り装置（ＡＤＦ）は、例えば、画像形成装置（複写機）の本体とは別にオプションとして供給されることがある。この場合、ユーザは異なる性能を持つ複数の機種から、経済性や操作性を考慮して、好みの自動原稿送り装置（ＡＤＦ）を選択して画像形成装置の本体に取り付ける。
【０００４】
図５は、オプシションとして画像形成装置の本体に装着される自動原稿送り装置（ＡＤＦ）の概略構成を示す図であり、原稿を読み取るカラーＣＣＤセンサを備えた自動原稿送り装置（ＡＤＦ）である。図５に示す自動原稿送り装置（ＡＤＦ）２０Ａにおいて、ケーシング１００の上面には原稿載置面としてのコンタクトガラス１０１が嵌め込まれている。コンタクトガラス１０１上に載置された原稿を下方から照明してその反射光を読取るために、ケーシング１００内には、照明ランプ１０２、反射鏡（ミラー）１０３、１０４、１０５、レンズ１０７および受光素子（イメージセンサ）としてのカラーＣＣＤセンサ(Charge Coupled Device)２２が備えられている。このカラーＣＣＤセンサ２２は、例えば、Ｒ（赤色検出用ＣＣＤセンサ）、Ｇ（緑色検出用ＣＣＤセンサ）、Ｂ(青色検出用ＣＣＤセンサ)の３チャネルタイプのカラーＣＣＤセンサである。
【０００５】
照明ランプ１０２の光は、コンタクトガラス（原稿台）１０１上の原稿を照射し、原稿で反射された光は反射鏡１０３、１０４、１０５で反射され、レンズ１０７を通ってカラーＣＣＤセンサ２２上に集束される。このように照明ランプ１０２、反射鏡１０３、１０４、１０５およびレンズ１０７によって光学系が構成されている。この光学系は、矢印で示す右方向へ移動可能である。この移動により、コンタクトガラス１０１上に載置された原稿が、その一端から他端まで順に読取られる。なお、コンタクトガラス１０１には、白色基準板１０６が設けられている。この白色基準板１０６は、画像データの調整時（例えば、シェーディング補正時等）に、基準となる白色を提供するためのものである。
【０００６】
また、原稿の送り機構部１２０には、原稿をセットするためのセットトレイ１２１と、読取られた原稿が排出される排出トレイ１２２とが含まれている。セットトレイ１２１にセットされた原稿は、ローラ機構部１２３により送り出され、排出トレイ１２２へ排出される。この排出トレイ１２２は、コンタクトガラス１０１上に載置された原稿を覆う原稿カバーとしても機能する。
【０００７】
そして原稿が読取位置を通過する際に、照明ランプ１０２で原稿が照明されて、その反射光がカラーＣＣＤセンサ２２へ与えられる。原稿を読み取る際には、照明ランプ１０２、反射鏡１０３、１０４、１０５およびレンズ１０７を含む光学系は所定位置に停止された状態で、原稿が搬送されることによって、カラーＣＣＤセンサ２２により原稿の読取が行われる。
【０００８】
カラーＣＣＤセンサ２２で読み取られた原稿の信号はＡＦＥ（アナログフロントエンド：Analog Front End）等を含むＣＣＤ信号処理部２３に入力される。ＣＣＤ信号処理部２３では、カラーＣＣＤセンサ２２から入力した信号を増幅し、ＯＤＤ／ＥＶＥＮ補正等を行った後に、Ａ／Ｄ変換し、デジタルの画像信号を生成して、本体側装置２のスキャナエンジン３０に送信する。
【０００９】
また、オプションとして供給される自動原稿送り装置（ＡＤＦ）２０Ａには、記憶部（ＥＥＰＲＯＭ）２６にＡＤＦ２０Ａを使用する際に必要となる各種のＡＤＦパラメータ情報２７Ａが記憶されている。このＡＤＦパラメータ情報２７Ａには、ＡＤＦ２０Ａに搭載されたデバイス（レンズやカラーＣＣＤセンサ等）に固有な、ＭＴＦ（Modulation Transfer Function）、色補正データ、制御タイミング情報などが保存されている。このため、ＡＤＦ２０Ａを付け替えても、ＡＤＦ２０Ａ内の記憶部（ＥＥＰＲＯＭ）２６に保存されたＡＤＦパラメータ情報２７Ａをスキャナエンジン３０に読み込むことにより、ＡＤＦ２０Ａ等を改めて調整をしなくてもすむように構成されている。
【００１０】
ところで、このような自動原稿送り装置（ＡＤＦ）を備えたシート計数装置（画像形成装置）として、排出されるシート枚数を示すカウント値の信頼性を高めることができるシート計数装置が開示されている。（例えば、特許文献１を参照）。
【００１１】
この従来技術のシート計数装置では、排出されるシート枚数を示すカウント値の信頼性を高めることができるシート計数装置を提供することを目的としている。このために、 正常に排出が完了したシート枚数をカウンタ値として計数し、計数されたカウンタ値を基にチェックデータを生成し、生成されたチェックデータをカウンタ値と併せて記憶方式の異なるＥＥＰＲＯＭ、ＳＲＡＭ、ＨＤＤの記憶装置に記録し、記録されたカウンタ値とチェックデータを照合することにより、各記憶装置に記憶されているカウンタ値の整合性が保たれているか否かを判定し、判定の結果、一部に整合性が保たれていない記憶装置が存在する場合、整合性が保たれていないと判定された記憶装置のカウンタ値を、整合性が保たれていると判定された他の記憶方式の記憶装置のカウンタ値で置き換えて復旧する。
【特許文献１】特開２００１−２８３１８１号公報
【発明の開示】
【発明が解決しようとする課題】
【００１２】
しかしながら、上記先行技術の装置では、自動原稿送り装置（ＡＤＦ）にバックアップしているＭＴＦ、色補正データ、マトリクスデータなどパラメータ情報（画像調整データ）を「自動原稿送り装置（ＡＤＦ）→スキャナエンジン→本体制御部」の経路で本体側に送信していたが、この画像調整データは約２００ｂｙｔｅ（バイト）程度ある。このデータを、電源投入時に毎回送っているため、立ち上がり時間が遅くなってしまうという問題が生じていた。
【００１３】
なお、ＡＤＦからの送信データ数を減らすために、本体側にＡＤＦにパラメータ情報（画像調整データ）を保持させることも考えられるが、このような方法では、オプションであるＡＤＦを付け替えるごとに画像調整データを調整しなおさなければならないことになる。このＭＴＦやマトリクスデータ等はデバイス（レンズやカラーＣＣＤセンサ等）に依存するためＡＤＦごとに値を調整しなければならない。この画像調整を行うための画像調整用の原稿は高価であり、また原稿が痛むと交換しなければならないため、市場に配布することができない。したがって、ＡＤＦにパラメータ情報を持たせておく必要がある。
【００１４】
本発明は、上述した事情に鑑みてなされたものであり、画像読取装置において、電源投入時に、オプションである自動原稿送り装置（ＡＤＦ）に保存されたパラメータ情報（画像調整データ）の読み込みを行うために、装置の立ち上がり時間が遅れることを回避し、また、オプションである自動原稿送り装置を付け替えても画像調整データを改めて再調整をしなくてもすむことができる、自動原稿送り装置、画像読取装置、画像形成装置、および画像形成システムを提供することを目的とする。
【課題を解決するための手段】
【００１５】
上記目的を達成するために、本発明に係る自動原稿送り装置は、画像形成装置にオプション機器として付設され、原稿読取位置に向けて原稿を給紙すると共に、カラーＣＣＤセンサにより前記原稿を読み取る自動原稿送り装置であって、前記自動原稿送り装置を使用する際に必要となるパラメータ情報を保持すると共に、前記パラメータ情報の内容の差異を全体として識別するためのパラメータＩＤ情報を生成して保持するパラメータ情報記憶手段と、前記画像形成装置側からの要求に応じて、前記自動原稿送り装置に保持されたパラメータ情報を前記画像形成装置に送信するパラメータ情報送信手段と、前記画像形成装置側からの要求に応じて、前記パラメータＩＤ情報を前記画像形成装置に送信するパラメータＩＤ情報送信手段と、を備えることを特徴とする。
上記構成からなる本発明の自動原稿送り装置では、画像形成装置にオプション機器として付設される自動原稿送り装置（ＡＤＦ）内に、該自動原稿送り装置を使用する際に必要となる一群のパラメータ情報と、この一群のパラメータ情報を識別するためのパラメータＩＤ情報とを保持させるようにする。画像形成装置側では、自動原稿送り装置（ＡＤＦ）の一群のパラメータ情報とパラメータＩＤ情報とを予め保持し、電源投入時には、前記自動原稿送り装置（ＡＤＦ）からパラメータＩＤ情報だけを受信し、自身が保持するパラメータＩＤ情報とを比較するようにする。そして、パラメータＩＤ情報が一致しない場合にのみ、自動原稿送り装置から一群のパラメータ情報を受信する。
これにより、電源投入時における自動原稿送り装置および画像形成装置の立ち上がり時間を短縮することができる。
【００１６】
また、本発明の自動原稿送り装置は、前記パラメータＩＤ情報は、前記パラメータ情報のチェックサムデータであることを特徴とする。
上記構成からなる本発明の自動原稿送り装置では、自動原稿送り装置（ＡＤＦ）内に保持された一群のパラメータ情報のチェックサムデータを、パラメータＩＤ情報として生成して、保持する。
これにより、自動原稿送り装置（ＡＤＦ）が保持するパラメータ情報の内容を識別するためのパラメータＩＤ情報を容易に生成して、使用することができる。
【００１７】
また、本発明の自動原稿送り装置は、前記パラメータ情報には、自動原稿送り装置に搭載された原稿読み取りのためのデバイスに固有な画像調整データ、および前記デバイスの制御タイミンング情報が含まれることを特徴とする。
上記構成からなる本発明の自動原稿送り装置では、パラメータ情報として、該自動原稿送り装置に搭載された原稿読み取りのためのデバイス（例えば、光学系のレンズや、カラーＣＣＤセンサ）に固有な、画像調整データ、および前記デバイスの制御タイミンングの情報を保持する。
これにより、オプションである自動原稿送り装置（ＡＤＦ）を付け替える場合においても、自動原稿送り装置（ＡＤＦ）を再調整する必要がなくなる。
【００１８】
また、本発明の自動原稿送り装置は、前記パラメータ情報には、さらに自動原稿送り装置に通紙された原稿の枚数の情報、および光源の照光時間の情報が含まれることを特徴とする。
上記構成からなる自動原稿送り装置（ＡＤＦ）においては、自動原稿送り装置（ＡＤＦ）が保持するパラメータ情報には、通紙された原稿の枚数の情報、および光源の照光時間の情報が含まれる。
これにより、通紙が終了した場合などに、自動原稿送り装置（ＡＤＦ）が保持するパラメータ情報およびパラメータＩＤ情報の更新を行うことができる。
【００１９】
また、本発明の画像読取装置は、原稿読取位置に向けて原稿を給紙すると共に、カラーＣＣＤセンサにより前記原稿を読み取る自動原稿送り装置が付設された画像読取装置であって、前記自動原稿送り装置は、前記自動原稿送り装置を使用する際に必要となるパラメータ情報を保持すると共に、前記パラメータ情報の内容の差異を全体として識別するためのパラメータＩＤ情報を生成して保持するパラメータ情報記憶手段と、前記画像読取装置側からの要求に応じて、前記自動原稿送り装置に保持されたパラメータ情報を前記画像読取装置に送信するパラメータ情報送信手段と、前記画像読取装置側からの要求に応じて、前記パラメータＩＤ情報を前記画像読取装置に送信するパラメータＩＤ情報送信手段と、を備え、前記画像読取装置は、前記自動原稿送り装置から前記パラメータ情報を受信して保持すると共に、受信したパラメータ情報を基に前記パラメータＩＤ情報を生成して保持する記憶手段と、電源投入時に、前記自動原稿送り装置から前記パラメータＩＤ情報を受信するパラメータＩＤ情報取得手段と、前記パラメータＩＤ情報取得手段により自動原稿送り装置から受信したパラメータＩＤ情報と、自身が保持するパラメータＩＤ情報とが一致するかどうかを判定するパラメータＩＤ情報判定手段と、前記パラメータＩＤ情報判定手段により、前記自動原稿送り装置から受信したパラメータＩＤ情報と、自身が保持するパラメータＩＤ情報とが一致しないと判定された場合に、前記自動原稿送り装置から前記パラメータ情報を受信するパラメータ情報取得手段と、を備えることを特徴とする。
上記構成からなる本発明の画像読取装置では、オプション機器として付設される自動原稿送り装置（ＡＤＦ： Automatic Document Feeder）内に、該自動原稿送り装置を使用する際に必要となる一群のパラメータ情報と、この一群のパラメータ情報を識別するためのパラメータＩＤ情報とを保持させるようにする。画像読取装置側では、予め自動原稿送り装置（ＡＤＦ）の一群のパラメータ情報とパラメータＩＤ情報を保持しておき、電源投入時には、前記自動原稿送り装置（ＡＤＦ）からパラメータＩＤ情報だけを受信し、自身が保持するパラメータＩＤ情報とを比較するようにする。そして、パラメータＩＤ情報が一致しない場合にのみ、自動原稿送り装置から一群のパラメータ情報を受信する。
これにより、電源投入時における自動原稿送り装置および画像読取装置の立ち上がり時間を短縮することができる。
【００２０】
また、本発明の画像読取装置は、前記パラメータＩＤ情報は、前記パラメータ情報のチェックサムデータであることを特徴とする。
上記構成からなる本発明の画像読取装置では、自動原稿送り装置（ＡＤＦ）内に保持された一群のパラメータ情報のチェックサムデータを、パラメータＩＤ情報として使用する。
これにより、自動原稿送り装置（ＡＤＦ）が保持するパラメータ情報の内容を識別するためのパラメータＩＤ情報を容易に生成して、使用することができる。
【００２１】
また、本発明の画像読取装置は、前記パラメータ情報には、自動原稿送り装置に搭載された原稿読み取りのためのデバイスに固有な、画像調整データ、および前記デバイスの制御タイミンング情報が含まれることを特徴とする。
上記構成からなる本発明の画像読取装置においては、自動原稿送り装置（ＡＤＦ）は、パラメータ情報として、自動原稿送り装置に搭載された原稿読み取りのためのデバイス（例えば、光学系のレンズや、カラーＣＣＤセンサ）に固有な、画像調整データ、および前記デバイスの制御タイミンングの情報を保持する。
これにより、オプションである自動原稿送り装置（ＡＤＦ）を付け替える場合においても、自動原稿送り装置（ＡＤＦ）を再調整する必要がなくなる。
【００２２】
また、本発明の画像読取装置は、前記パラメータ情報には、さらに自動原稿送り装置に通紙された原稿の枚数の情報、および光源の照光時間の情報が含まれることを特徴とする。
上記構成からなる本発明の画像読取装置においては、自動原稿送り装置（ＡＤＦ）が保持するパラメータ情報には、通紙された原稿の枚数の情報、および光源の照光時間の情報が含まれる。
これにより、通紙が終了した場合などに、自動原稿送り装置（ＡＤＦ）が保持するパラメータ情報およびパラメータＩＤ情報の更新を行うことができる。
【００２３】
また、本発明の画像読取装置は、前記自動原稿送り装置は、前記原稿の通紙が終了した場合に、自身が保持するパラメータ情報およびパラメータＩＤ情報を更新すると共に、前記画像読取装置に対して通紙終了のステータス情報を送信する手段を、備え、前記画像読取装置は、前記自動原稿送り装置から通紙終了のステータス情報を受信した場合に、前記自動原稿送り装置に対して前記パラメータ情報の送信要求コマンドを送信すると共に、前記自動原稿送り装置から受信しパラメータ情報を基に、自身が保持するパラメータ情報およびパラメータＩＤ情報を更新する手段を、を備えることを特徴とする。
上記構成からなる本発明の画像読取装置では、自動原稿送り装置（ＡＤＦ）において原稿の通紙が終了した場合に、自動原稿送り装置（ＡＤＦ）が保持するパラメータ情報およびパラメータＩＤ情報を更新する。また、自動原稿送り装置（ＡＤＦ）から画像読取装置に更新されたパラメータ情報を送信し、画像読取装置ではパラメータ情報とパラメータＩＤ情報を更新して保持する。
これにより、通紙が終了した場合に、自動原稿送り装置（ＡＤＦ）および画像読取装置において、パラメータ情報とパラメータＩＤ情報の更新が行える。
【００２４】
また、本発明の画像形成装置は、上記のいずれかに記載の画像読取装置を備えると共に、前記画像読取装置から受信した原稿の画像データの画像処理を行い、プリント用紙に印刷する処理を行うことを特徴とする。
これにより、オプション機器である自動原稿送り装置（ＡＤＦ）が付設された画像読取装置を備える画像形成装置において、オプション機器である自動原稿送り装置（ＡＤＦ）を付け替える場合においても、自動原稿送り装置（ＡＤＦ）を再調整する必要がなくなる。また、電源投入時における画像形成装置の立ち上がり時間を短縮することができる。
【００２５】
また、本発明の画像形成システムは、本体にオプション機器として付設されると共にカラーＣＣＤセンサにより原稿を読み取り画像データを本体側に送信する自動原稿送り装置と、前記自動原稿送り装置と本体側とのインタフェースとなるスキャナエンジンと、前記自動原稿送り装置から送信された画像データを前記スキャナエンジンを介して受信してプリント処理を行う本体側コントローラとで構成される画像形成システムであって、前記自動原稿送り装置は、前記自動原稿送り装置を使用する際に必要となるパラメータ情報を保持すると共に、前記パラメータ情報の内容の差異を全体として識別するためのパラメータＩＤ情報を生成して保持するパラメータ情報記憶手段と、前記スキャナエンジン側からの要求に応じて、前記自動原稿送り装置に保持されたパラメータ情報を前記スキャナエンジンに送信するパラメータ情報送信手段と、前記スキャナエンジン側からの要求に応じて、前記パラメータＩＤ情報を前記スキャナエンジンに送信するパラメータＩＤ情報送信手段と、を備え、前記スキャナエンジンは、前記自動原稿送り装置から前記パラメータ情報を受信して保持すると共に、受信したパラメータ情報を基に前記パラメータＩＤ情報を生成して保持する記憶手段と、電源投入時に、前記自動原稿送り装置から前記パラメータＩＤ情報を受信するパラメータＩＤ情報取得手段と、前記パラメータＩＤ情報取得手段により自動原稿送り装置から受信したパラメータＩＤ情報と、自身が保持するパラメータＩＤ情報とが一致するかどうかを判定するパラメータＩＤ情報判定手段と、前記パラメータＩＤ情報判定手段により、前記自動原稿送り装置から受信したパラメータＩＤ情報と、自身が保持するパラメータＩＤ情報とが一致しないと判定された場合に、前記自動原稿送り装置から前記パラメータ情報を受信するパラメータ情報取得手段と、前記自動原稿送り装置から前記カラーＣＣＤセンサにより読み込まれた原稿の画像データを受信すると共に、該画像データを前記パラメータ情報中の画像調整データを基に補正し、補正した画像データを前記本体側コントローラに送信する画像データ補正手段と、を備え、前記本体側コントローラは、前記スキャナエンジンから受信した画像データを基に、プリント用の画像データを生成する画像処理手段と、前記画像処理手段により生成されたプリント用画像データをプリント用紙にプリントする印刷制御手段と、を備えることを特徴とする。
上記構成からなる本発明の画像形成システムでは、自動原稿送り装置は、該自動原稿送り装置に使用する際に必要となるパラメータ情報と、該パラメータ情報の内容の差異を識別するためのパラメータＩＤ情報とを保持する。スキャナエンジンには、電源投入時に、前記自動原稿送り装置からパラメータＩＤ情報を受信し、受信したパラメータＩＤ情報と、自身が保持するパラメータＩＤ情報とが一致するかどうかを判定する。自動原稿送り装置から受信したパラメータＩＤ情報と、自身が保持するパラメータＩＤ情報とが一致しないと判定された場合にのみ、自動原稿送り装置から前記パラメータ情報を受信する。また、スキャナエンジンは、自動原稿送り装置から受信した画像データの補正処理を行い、補正された画像データを本体側コントローラに送信する。本体側コントローラは、スキャナエンジンから受信した画像データを基に、プリント用の画像データを生成して、プリントする。
これにより、オプションである自動原稿送り装置（ＡＤＦ）が付設される画像形成システムにおいて、オプションである自動原稿送り装置（ＡＤＦ）を付け替える場合においても、自動原稿送り装置（ＡＤＦ）を再調整する必要がなくなる。また、電源投入時における画像形成システムの立ち上がり時間を短縮することができる。
【００２６】
また、本発明の画像形成システムは、前記パラメータＩＤ情報は、前記パラメータ情報のチェックサムデータであることを特徴とする。
上記構成からなる本発明の画像形成システムでは、自動原稿送り装置（ＡＤＦ）内に保持されたパラメータ情報のチェックサムデータを、パラメータＩＤ情報として使用する。
これにより、自動原稿送り装置（ＡＤＦ）が保持するパラメータ情報の内容を識別するためのパラメータＩＤ情報を容易に生成して、使用することができる。
【００２７】
また、本発明の画像形成システムは、前記パラメータ情報には、自動原稿送り装置に搭載された原稿読み取りのためのデバイスに固有な画像調整データ、および前記デバイスの制御タイミンング情報が含まれることを特徴とする。
上記構成からなる本発明の画像形成システムにおいては、自動原稿送り装置（ＡＤＦ）は、パラメータ情報として、該自動原稿送り装置に搭載された原稿読み取りのために使用されるデバイス（例えば、光学系のレンズや、カラーＣＣＤセンサ）に固有な、画像調整データ、および前記デバイスの制御タイミンング情報を保持する。
これにより、オプションである自動原稿送り装置（ＡＤＦ）を付け替える場合において、自動原稿送り装置（ＡＤＦ）を再調整する必要がなくなる。
【００２８】
また、本発明の画像形成システムは、前記パラメータ情報には、さらに自動原稿送り装置に通紙された原稿の枚数の情報、および光源の照光時間の情報が含まれることを特徴とする。
上記構成からなる本発明の画像形成システムにおいては、自動原稿送り装置（ＡＤＦ）が保持するパラメータ情報には、通紙された原稿の枚数の情報、および光源の照光時間の情報が含まれる。
これにより、通紙が終了した場合などに、自動原稿送り装置（ＡＤＦ）が保持するパラメータ情報およびパラメータＩＤ情報の更新を行うことができる。
【００２９】
また、本発明の画像形成システムは、前記自動原稿送り装置は、前記原稿の通紙が終了した場合に、自身が保持するパラメータ情報およびパラメータＩＤ情報を更新すると共に、前記スキャナエンジンに対して通紙終了のステータス情報を送信する手段を、備え、前記スキャナエンジンは、前記自動原稿送り装置から通紙終了のステータス情報を受信した場合に、前記自動原稿送り装置に対して前記パラメータ情報の送信要求コマンドを送信すると共に、前記自動原稿送り装置から受信したパラメータ情報を基に、自身が保持するパラメータ情報およびパラメータＩＤ情を更新する手段を、を備えることを特徴とする。
上記構成からなる本発明の画像形成システムでは、自動原稿送り装置（ＡＤＦ）において原稿の通紙が終了した場合に、自動原稿送り装置（ＡＤＦ）が保持するパラメータ情報およびパラメータＩＤ情報を更新する。また、自動原稿送り装置（ＡＤＦ）からスキャナエンジンに更新されたパラメータ情報を送信し、スキャナエンジンではパラメータ情報とパラメータＩＤ情報を更新して保持する。
これにより、通紙が終了した場合に、自動原稿送り装置（ＡＤＦ）およびスキャナエンジンにおいて、パラメータ情報とパラメータＩＤ情報の更新が行える。
【００３０】
また、本発明の画像形成システムは、前記スキャナエンジンは、前記本体側コントローラからの指示により、前記自動原稿送り装置に対して前記パラメータ情報の初期化指示を含むパラメータ更新指示のコマンドを送信する手段と、前記自動原稿送り装置から更新されたパラメータ情報を受信し、受信したパラメータ情報により自身が保持するパラメータ情報およびパラメータＩＤ情報を更新する手段と、を備え、前記自動原稿送り装置は、前記スキャナエンジンから前記パラメータ情報の更新指示のコマンドを受信した場合に、更新指示の内容に従い、自身が保持するパラメータ情報およびパラメータＩＤ情報を更新すると共に、更新したパラメータ情報を前記スキャナエンジンに送信する手段を、備えることを特徴とする。
上記構成からなる本発明の画像形成システムおいては、スキャナエンジンは、本体側コントローラからの指示により、自動原稿送り装置（ＡＤＦ）に対してパラメータ情報の更新指示（例えば、初期化要求など）を送信する。自動原稿送り装置（ＡＤＦ）は更新指示に従いパラメータ情報を更新し、更新されたパラメータ情報をスキャナエンジンに送信する。スキャナエンジンは、自動原稿送り装置（ＡＤＦ）から更新されたパラメータ情報を受信し、記憶部に保持しているパラメータ情報およびパラメータＩＤ情報を更新する。
これにより、本体側コントローラからの指示により、自動原稿送り装置（ＡＤＦ）内のパラメータ情報の更新が行える。
【発明の効果】
【００３１】
本発明によれば、画像読取装置等において、電源投入時の立ち上がり時間を短縮することができる。また、オプションである自動原稿送り装置（ＡＤＦ）を付け替えてもＡＤＦにパラメータ情報（画像調整データ等）を保存しているため、ＡＤＦを改めて調整をしなくてもすむ。
【発明を実施するための最良の形態】
【００３２】
以下、図面を参照して、本発明の一実施形態について説明する。
図１は、本発明の実施の形態に係わる画像形成装置（画像形成システム）の構成ブロック図である。
図１に示す画像形成装置（画像形成システム）１において、本体側装置２には、オプションとなる自動原稿送り装置（ＡＤＦ）２０が装着されている。本体側装置２は、主に画像のプリント処理を行う本体側コントローラ１０と、本体側コントローラ１０と自動原稿送り装置（ＡＤＦ）２０との中間に位置するスキャナエンジン３０とで構成されている。
【００３３】
本体側コントローラ１０内の主制御部１１はＣＰＵ等を含む制御部であり、本体側コントローラ１０内の各部の動作を統括して制御する処理部である。操作部１２は、液晶パネル等の表示部および操作キー等からなるコントロールパネルであり、ユーザが画像形成装置１を操作するための入力部である。
【００３４】
画像処理部１３は、スキャナエンジン３０から受信した原稿の画像データをプリント用の画像データ（例えば、使用するトナーに合わせた画像データ）に変換するための処理部である。印刷制御部１４は、画像処理部１３により生成された印刷用画像データを用紙にプリントするための制御部である。この印刷制御部１４は、トナーを用紙に転写する転写部１６を制御すると共に、印刷用紙の送り機構（例えば、加圧ローラ１７ａや定着ローラ１７ｂ）を含むプリントエンジン１５制御して、印刷動作を実行する。
【００３５】
自動原稿送り装置（ＡＤＦ）２０は、図５に示した構成のものであり、原稿の自動送り機構を備えると共に、原稿を読み取るカラーＣＣＤセンサ２２を搭載している。
【００３６】
自動原稿送り装置（ＡＤＦ）２０内のＡＤＦ制御部２１はＣＰＵ等を含む制御部であり、自動原稿送り装置（ＡＤＦ）２０内の各部の動作を統括して制御する処理部である。
カラーＣＣＤセンサ２２は、原稿読取用のカラーＣＣＤセンサであり、このカラーＣＣＤセンサ２２は、Ｒ（赤）、Ｇ（緑）、Ｂ（青）の各色を読み取る３つのラインセンサから構成されており、また、Ｒ、Ｇ、Ｂの各色のラインセンサは、奇数ライン（ＯＤＤ）と、偶数ライン（ＥＶＥＮ）を読み取る２つのラインセンサから構成されている。
【００３７】
ＣＣＤ信号処理部２３は、カラーＣＣＤセンサ２２から読み込んだ画像信号を増幅し、ＯＤＤ／ＥＶＥＮ補正、オフセット補正等を行い、この信号をＡ／Ｄ変換してデジタルの画像データを出力する。送り機構制御部２５は、原稿の送り機構やミラーの移動機構を制御する処理部である。
【００３８】
ＡＤＦＩＤ情報処理部２４は、電源投入時におけるＡＤＦＩＤ情報（パラメータ情報）のＡＤＦ内への展開処理、記憶部２６内のＡＤＦＩＤ情報２７の更新処理、スキャナエンジン３０からの要求に応じてＡＤＦＩＤ情報２７を送信するなど、ＡＤＦＩＤ情報２７に関連する処理を行う。
【００３９】
また記憶部２６はＥＥＰＲＯＭ（Electrically Erasable Programmable Read-Only Memory）で構成され、自動原稿送り装置（ＡＤＦ）２０に固有な各種のパラメータ情報としてのＡＤＦＩＤ情報２７が保存されている。このＡＤＦＩＤ情報２７は各種のパラメータ情報でなる２００ｂｙｔｅ程度の情報であり、ＡＤＦ２０に保持されたＡＤＦＩＤ情報２７の内容を識別するＩＤ情報（ＡＤＦＩＤ情報のチェックサムデータ）、画像調整データ（ＭＴＦや、色補正データなど）、ＡＤＦ２０の制御タイミング情報、光源の照光時間、原稿の通紙枚数の情報等が含まれる。このＡＤＦＩＤ情報２７は、スキャナエンジン３０に送信され、スキャナエンジン３０内に保持される。
【００４０】
スキャナエンジン３０は、自動原稿送り装置（ＡＤＦ）２０と本体側コントローラ１０との中間に位置し、本体側コントローラ１０と自動原稿送り装置（ＡＤＦ）２０とのインタフェースとなる部分であり、自動原稿送り装置（ＡＤＦ）２０からＡＤＦＩＤ情報２７受信するとともに、自動原稿送り装置（ＡＤＦ）２０から受信した画像データを本体側コントローラ１０に送信する処理部である。
【００４１】
スキャナエンジン制御部３１は、ＣＰＵ等を含み、スキャナエンジン３０内の各部の動作を統括した制御する処理である。
【００４２】
画像データ補正部３２は、ＡＤＦ２０から受信画像データを、記憶部（ＳＲＡＭ（Static Random Access Memory）等）３６に保持されたＡＤＦＩＤ情報２７中の画像調整データ（ＭＴＦ、色補正データ等）により、補正された画像データを生成する。画像データ補正部３２により生成された画像データは画像メモリ１８に保存される。
【００４３】
なお、この画像データ補正部３２では、ＡＤＦ２０より受信した原稿の画像データに対し、光学系のＭＴＦ（Modulation Transfer Function）補正や、シェーディング補正を行う。なお、シェーディング補正は、カラーＣＣＤセンサ２２の各光電変換素子の特性バラツキ、あるいは光源の発光量のバラツキに起因して各光電変換素子間に実質的な感度のバラツキが生じるため、これを補正するものである。
【００４４】
ＡＤＦＩＤ情報取得部３３は、自動原稿送り装置（ＡＤＦ）２０からＡＤＦＩＤ情報２７、またはＩＤ情報（ＡＤＦＩＤ情報２７内のチェックサムデータ）を受信する処理部である。なお、ＡＤＦＩＤ情報取得部３３は自動原稿送り装置（ＡＤＦ）からＡＤＦＩＤ情報２７を受信した場合は、自身でＩＤ情報（チェックサムデータ）を算出し、これをＡＤＦＩＤ情報と共に記憶部３６に保存する。
【００４５】
ＡＤＦＩＤ情報判定部３４は、自動原稿送り装置（ＡＤＦ）２０から受信したＩＤ情報（チェックサムデータ）と、自身が保持するＩＤ情報（チェックサムデータ）とが一致するかどうかを判定するための処理部である。
【００４６】
ＡＤＦＩＤ情報更新部３５は、本体側コントローラ１０からの指示（例えば、初期化指示）により、自動原稿送り装置（ＡＤＦ）２０に対し、記憶部（ＥＥＰＲＯＭ）２６に記憶されたＡＤＦＩＤ情報２７を更新するように指示するための処理部である。
【００４７】
上記構成において、電源投入時に、ＡＤＦ２０に保存してある各種のパラメータ情報（ＡＤＦＩＤ情報２７、例えば、２００ｂｙｔｅ程度）の全部を、スキャナエンジン３０に毎回送るのではなく、ＩＤ情報（ＡＤＦＩＤ情報２７のチェックサムデータ、４ｂｙｔｅ程度）だけをスキャナエンジン３０に送信する。スキャナエンジン３０では、ＡＤＦ２０から受信したＩＤ情報（チェックサムデータ）と、自身が記憶部３６に保持したＩＤ情報（チェックサムデータ）とを比較する。そして、このＩＤ情報（チェックサムデータ）が異なっている場合にのみ、ＡＤＦ２０に保持された各種のパラメータ情報（ＡＤＦＩＤ情報２７）の全部を、自動原稿送り装置（ＡＤＦ）２０から受信する。これにより、電源投入時の装置立ち上がり時間の短縮を図ることができる。
【００４８】
なお、前述した自動原稿送り装置（ＡＤＦ）のパラメータ情報記憶手段は、記憶部２６が相当し、パラメータ情報送信手段およびパラメータＩＤ情報送信手段は、ＡＤＦＩＤ情報処理部２４が相当する。また、前述した画像読取装置およびスキャナエンジンの記憶手段は記憶部３６が相当し、前述したパラメータ情報取得手段およびパラメータＩＤ情報取得手段はＡＤＦＩＤ情報取得部３３が相当し、前述したパラメータＩＤ情報判定手段はＡＤＦＩＤ情報判定部３４が相当する。また、前述した画像処理手段は画像処理部１３が相当し、印刷制御手段は印刷制御部１４が相当する。
【００４９】
図２は、図１に示す画像形成装置における、電源投入時のＡＤＦＩＤ情報のバッアップ処理の流れを示すフローチャートであり、本発明に直接関係する部分について示したものである。以下、図２を参照して、その処理の流れについて説明する。
【００５０】
電源が投入されると（ステップＳ１）、スキャナエンジン３０から自動原稿送り装置（ＡＤＦ）２０に対して、コマンド１（ＡＤＦとの接続確認コマンド）が送信される（ステップＳ２）。ＡＤＦ２０は、スキャナエンジン３０に対して確認応答ステータス１（通信接続完了）を返信する（ステップＳ３）。この確認応答ステータス１において、ＡＤＦ２０内において原稿読み取りのために必要なパラメータデータのＳＲＡＭ等への展開（設定）が完了（運転準備完了）したことが、スキャナエンジン３０に通知される。
【００５１】
スキャナエンジン３０は、ＡＤＦ２０から確認応答ステータス１を受信すると、ＡＤＦ２０に対してコマンド４（ＡＤＦＩＤ要求）を送信する（ステップＳ４）。ＡＤＦ２０はスキャナエンジン３０に対して確認応答ステータス６（ＡＤＦＩＤ応答）を送信する（ステップＳ５）。なお、このＡＤＦＩＤ応答で送信される情報は、ＡＤＦ２０内に保持されたＡＤＦＩＤ情報２７（２００ｂｙｔｅ）のＩＤ情報（チェックサムデータ）であり、４ｂｙｔｅ程度である（ＩＤ情報＝ＡＤＦＩＤ情報２７のチェックサムデータ）。
【００５２】
スキャナエンジン３０では、ＡＤＦ２０から受信したＡＤＦＩＤ情報(ＡＤＦＩＤ情報２７のチェックサムデータ)と、スキャナエンジン３０自身が記憶部３６に保持しているＡＤＦＩＤ情報（ＡＤＦＩＤ情報２７のチェックサムデータ）とを比較する（ステップＳ６）。
【００５３】
ＡＤＦ２０から受信したＩＤ情報（ＡＤＦＩＤ情報２７のチェックサムデータ）と、スキャナエンジン３０自身が記憶部３６に保持しているＡＤＦＩＤ情報（ＡＤＦＩＤ情報２７のチェックサムデータ）とを比較し、一致すると判定された場合は（ステップＳ７：ＹＥＳ）、ステップＳ８に移行する。
【００５４】
ステップＳ８においては、ＡＤＦ２０から受信したデータ（４ｂｙｔｅ程度）に「ついてチェックサム計算を行い、チェックサム判定を行う。チェックサム判定結果が一致であれば（ステップＳ８：ＹＥＳ）、ステップＳ１２に移行する。
【００５５】
一方、ステップＳ７においてＡＤＦＩＤ情報（ＡＤＦＩＤ情報２７のチェックサムデータ）が一致しないと判定された場合（ステップＳ７：ＮＯ）、またはステップＳ８において、チェックサム判定で一致しないと判定された場合は（ステップＳ８：ＮＯ）、ステップＳ９に移行する。
【００５６】
ステップＳ９において、スキャナエンジン３０は、ＡＤＦ２０のコマンド４（ＡＤＦＩＤ要求）を送信し（ステップＳ１０）、ＡＤＦ２０から応答ステータス６を受信する（ステップＳ１１）。このＡＤＦ２０からの応答には、ＡＤＦＩＤ情報２７の全部のデータ（２００ｂｙｔｅ程度）が含まれる。スキャナエンジン３０では、ＡＤＦ２０から新たに受信したＡＤＦＩＤ情報２７を記憶部３６に保存すると共に、受信したＡＤＦＩＤ情報２７を基にＩＤ（チェックサムデータ）を再計算し、記憶部３６に保存する。
【００５７】
上記手順より、スキャナエンジン３０とＡＤＦ２０には、同じＡＤＦＩＤ情報（画像調整データ等）が保持されることになる。この後に、スキャナエンジン３０から本体側コントローラ１０に、画像調整データ等を送信する（ステップＳ１２）。
【００５８】
上記手順により、ＡＤＦバックアップ情報転送処理が終了する（ステップＳ１３）。
【００５９】
また、図３は、ＡＤＦＩＤ情報の更新処理の流れを示すフローチャートである。この処理は、ＡＤＦ２０における通紙が終了した場合等に行われ、スキャナエンジン３０が主体となって行われる処理である。以下、図３を参照して、その処理の流れについて説明する。
【００６０】
ＡＤＦ２０において通紙が終了すると、この通紙終了の情報は、ステータス１（通紙終了）として、スキャナエンジン３０に送信される（ステップＳ２１）。
スキャナエンジン３０は、ＡＤＦ２０からステータス１（通紙終了）の信号を受信すると、ＡＤＦ２０に対してコマンド４（ＡＤＦＩＤ要求）を送信し（ステップＳ２２）、ＡＤＦ２０からステータス６（ＡＤＦＩＤ応答）を受信する（ステップＳ２３）。このＡＤＦＩＤ応答には、ＡＤＦＩＤ情報２７のすべての情報（２００ｂｙｔｅ程度）が含まれる。
【００６１】
スキャナエンジン３０では、ＡＤＦ２０から受信したＡＤＦＩＤ情報２７（２００ｂｙｔｅ程度）を、記憶部３６に書き込み、スキャナ保有データの変更を実施する（ステップＳ２４）。また、受信したＡＤＦＩＤ情報２７からＩＤ情報（チェックサムデータ）を計算し、このＩＤ情報（チェックサムデータ）を記憶部３６に保存する（ステップＳ２５）。
【００６２】
同様に、ＡＤＦ２０においても、ＡＤＦの固有情報であるＡＤＦＩＤ情報２７を変更し、変更したＡＤＦＩＤ情報２７を記憶部（ＥＥＰＲＯＭ）２６書き込む（ステップＳ２６）。また、変更したＡＤＦＩＤ情報２７からＩＤ情報（チェックサムデータ）を計算し、このＩＤ情報（チェックサムデータ）を記憶部（ＥＥＰＲＯＭ）２６に書き込む（ステップＳ２７）。
【００６３】
以上説明した手順により、ＡＤＦ情報の更新が終了する（ステップＳ２８）。
【００６４】
また、図４は、ＡＤＦ２０内の記憶部（ＥＥＰＲＯＭ）２６の更新処理の流れを示すフローチャートである。この処理は、本体側コントローラ１０からの指示により行われ、例えば、ＥＥＰＲＯＭに保持されたＡＤＦＩＤ情報２７を初期化する場合などに行われる。
【００６５】
まず、本体側コントローラ１０からスキャナエンジン３０に対して、更新指示が送信される（ステップＳ３１）。スキャナエンジン３０は、ＡＤＦ２０に対して、コマンド４（ＡＤＦＩＤ情報更新指示）を送信する（ステップＳ３２）。ＡＤＦ２０からスキャナエンジン３０に対して、確認応答ステータス６が返信される（ステップＳ３３）。この確認応答ステータス６の情報には、更新されたＡＤＦＩＤ情報２７のすべての情報（２００ｂｙｔｅ程度）が含まれる。
【００６６】
スキャナエンジン３０では、ＡＤＦ２０から受信したＡＤＦＩＤ情報２７（２００ｂｙｔｅ程度）を、記憶部３６に書き込み、スキャナ保有データの変更を実施する（ステップＳ３４）。また、受信したＡＤＦＩＤ情報２７からＩＤ情報（チェックサムデータ）を計算し、このＩＤ情報（チェックサムデータ）を記憶部３６に保存する（ステップＳ３５）。
【００６７】
同様に、ＡＤＦ２０においても、ＡＤＦの固有情報であるＡＤＦＩＤ情報２７を変更し、変更したＡＤＦＩＤ情報２７を記憶部（ＥＥＰＲＯＭ）２６書き込む（ステップＳ３６）。また、変更したＡＤＦＩＤ情報２７からＩＤ情報（チェックサムデータ）を計算し、このＩＤ情報（チェックサムデータ）を記憶部（ＥＥＰＲＯＭ）２６に書き込む（ステップＳ３７）。
【００６８】
以上、説明したように、本発明のＡＤＦ２０、スキャナエンジン３０、本体側コントローラ１０から構成される画像形システムにおいては、電源投入時に、ＡＤＦ２０に保存してある各種のパラメータ情報（画像調整データ等、例えば、２００ｂｙｔｅ程度）の全部を、スキャナエンジン３０に毎回送るのではなく、ＡＤＦ２０内の記憶部（ＥＥＰＲＯＭ）２６に保存されたＡＤＦＩＤ情報２７のＩＤ情報（ＡＤＦＩＤ情報２７のチェックサムデータ、４ｂｙｔｅ程度）だけをスキャナエンジン３０に送信する。
【００６９】
スキャナエンジン３０では、ＡＤＦ２０から受信したＩＤ情報（チェックサムデータ）と、記憶部３６に保持したＩＤ情報（チェックサムデータ）とを比較する。そして、このチェックサムデータが異なっている場合にのみ、ＡＤＦ２０に保持されたＡＤＦＩＤ情報２７の全部をスキャナエンジン３０に送信するようにする。これにより、電源投入時の装置立ち上がり時間の短縮を図ることができる。
【００７０】
以上、本発明の実施の形態について説明したが、本発明の自動原稿送り装置（ＡＤＦ）、画像読取装置（スキャナエンジン）、画像形成装置（画像形成システム）は、上述の図示例にのみ限定されるものではなく、本発明の要旨を逸脱しない範囲内において種々変更を加え得ることは勿論である。
【図面の簡単な説明】
【００７１】
【図１】本発明の一実施形態に係る画像形成装置１の構成ブロック図である。
【図２】本発明の一実施形態に係る画像形成装置１における電源投入時のＡＤＦＩＤ情報のバッアップ処理の流れを示すフローチャートである。
【図３】本発明の一実施形態に係る画像形成装置１におけるＡＤＦＩＤ情報の更新処理の流れを示すフローチャートである。
【図４】本発明の一実施形態に係る画像形成装置１におけるＡＤＦ内のＥＥＰＲＯＭの更新処理の流れを示すフローチャートである。
【図５】従来の画像形成装置の本体に装着される自動原稿送り装置の概略構成図である。
【符号の説明】
【００７２】
１・・・画像形成装置（画像形成システム）、２・・・本体側装置、１０・・・本体側コントローラ、１１・・・主制御部、１２・・・操作部、１３・・・画像処理部、１４・・・印刷制御部、１５・・・プリントエンジン、１６・・・転写部、１７ａ・・・加圧ローラ、１７ｂ・・・定着ローラ、２０、２０Ａ・・・自動原稿送り装置（ＡＤＦ）、２１・・・ＡＤＦ制御部、２２・・・カラーＣＣＤセンサ、２３・・・ＣＣＤ信号処理部、２４・・・ＡＤＦＩＤ情報処理部、２５・・・送り機構制御部、２６・・・記憶部（ＥＥＰＲＯＭ）、２７・・・ＡＤＦＩＤ情報、２７Ａ・・・ＡＤＦパラメータ情報、３０・・・スキャナエンジン、３１・・・スキャナエンジン制御部、３２・・・画像データ補正部、３３・・・ＡＤＦＩＤ情報取得部、３４・・・ＡＤＦＩＤ情報判定部、３５・・・ＡＤＦＩＤ情報更新部、３６・・・記憶部（ＳＲＡＭ）、１００・・・ケーシング、１０１・・・コンタクトガラス、１０２・・・照明ランプ（光源）、１０３、１０４、１０５・・・反射鏡（ミラー）、１０６・・・白色基準板、１０７・・・レンズ、１２０・・・原稿の送り機構部、１２１・・・セットトレイ、１２２・・・排出トレイ、１２３・・・ローラ機構部
【図１】
2008245176.tif 000003
【図２】
2008245176.tif 000004
【図３】
2008245176.tif 000005
【図４】
2008245176.tif 000006
【図５】
2008245176.tif 000007